(57)【要約】  耳かけ型装置にアンテナ素子と無給電素子を内蔵し、無給電素子を反射器として動作させることにより、アンテナの指向性が使用者の視線方向を向いた耳かけ型無線装置を提供するものである。  無線回路１０５を内蔵した本体ケース（Ａ）１０１と、音声を耳へ伝える機能を有する音管１０２とを備え、本体ケース（Ａ）１０１と音管１０２とが接続されて一体となることで、耳に装着可能となる耳かけ型無線装置１００であって、音管１０２の空洞部に長さが略半波長で構成されたアンテナ素子１０４が配置され、本体ケース（Ａ）１０１に長さが略半波長以上で構成された無給電素子（反射器）１０７が配置される。この構成により、無給電素子（反射器）１０７が反射器として動作し、耳かけ型無線装置１００を耳に装着した状態において、使用者の視線方向２にアンテナ指向性を向けることができ、視線方向にあるＴＶなどとの通信性能を向上できる。
2009098858.tif 000002
【特許請求の範囲】
【請求項１】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型無線装置であって、
前記音声伝送部内に、長さが略半波長で構成されたアンテナ素子が配置され、
前記第１の本体ケースに、長さが略半波長以上で構成された無給電素子が配置されることを特徴とした、耳かけ型無線装置。
【請求項２】
前記無給電素子が前記第１の本体ケース内に配置されることを特徴とした、請求項１記載の耳かけ型無線装置。
【請求項３】
前記無給電素子が前記第１の本体ケース表面外側に配置されることを特徴とした、請求項１記載の耳かけ型無線装置。
【請求項４】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型無線装置であって、
前記アンテナ素子が前記第１の本体ケース内に配置され、
前記無給電素子が前記音声伝送部内に配置され、
前記無給電素子の長さが略半波長未満で構成されることを特徴とした、耳かけ型無線装置。
【請求項５】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型無線装置であって、
前記第２の本体ケース内に、長さが略半波長で構成された前記アンテナ素子が配置され、
前記耳かけハンガー内に、長さが略半波長以上で構成された前記無給電素子が配置されることを特徴とした、耳かけ型無線装置。
【請求項６】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型無線装置であって、
前記アンテナ素子が前記耳かけハンガー内に配置され、
前記無給電素子が前記第２の本体ケース内に配置され、
前記無給電素子の長さが略半波長未満で構成されることを特徴とした、耳かけ型無線装置。
【請求項７】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記アンテナ素子を前記イヤホンケーブルと共用することを特徴とした、請求項１ないし３のいずれか１項記載の耳かけ型無線装置。
【請求項８】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記無給電素子が前記イヤホンケーブルと共用することを特徴とした、請求項１、２、４のいずれか１項記載の耳かけ型無線装置。
【発明の詳細な説明】
【技術分野】
【０００１】
本発明は、耳にかけて使用する耳かけ型無線装置に関するものであり、特に、ＴＶなどの映像表示装置との通信を行う機能を有する耳かけ型補聴器に用いるアンテナに関するものである。
【背景技術】
【０００２】
現在、補聴器において、補聴器の音量を調節する装置との通信（例えば特許文献１）や、使用者が音源の方向を認識しやすくするために左右の補聴器が通信して音声を信号処理する（例えば特許文献２）など、無線通信機能を搭載した補聴器が数多く提案されている。【０００３】
補聴器に搭載するアンテナに関しては、例えば特許文献３に示されているように、耳後方に装着する補聴器ハウジングにＬ字状のアンテナ又はコイル状のアンテナを導電膜で形成することで、基板上でアンテナを設ける場所を省略することができる技術が提案されている。【０００４】
また、補聴器以外で、耳にかけて使用する無線装置のアンテナとして、例えば、特許文献４に記載されているように、図９では耳かけトランシーバに搭載したＦＭ電波用のアンテナ構成が記載されている。図９において、トランシーバ９００は、柔軟で若干の弾性を有する耳拘束部材９０１を用いて耳２に拘束され、アンテナ９０２は、筐体９０３から突起して耳元から天頂方向に伸びて配置され、マイク９０４は、口元に配置されるように筐体９０３から突起して搭載され、筐体９０３の内部には無線送受信の電子回路を設けたプリント基板、耳面に向かって配置されたスピーカ、電池などが配置される。【０００５】
この構成により、トランシーバ９００は図示しない電話機の子機として使用され、電話機（親機）から送信されるＦＭ電波をアンテナ９０２で受信して音声信号を再生し、耳元でスピーカから出力し、また、マイク９０４で拾い上げた通話音声をＦＭ電波に変換してアンテナ９０２から電話機（親機）へ送信することが可能となる。【０００６】
また、耳にかけて使用する無線装置の内蔵アンテナとして、例えば特許文献５に記載されているように、図１０では耳かけ型コードレスイヤホンの構成が記載されている。図１０において、耳かけ型コードレスイヤホン１０００を耳に装着するための耳かけハンガー１００１は、軸１００２と継手部分１００３を介して筐体９０３に繋ぎ合わされており、耳かけ型コードレスイヤホン１０００を耳に装着した状態において、耳元に配置されるようにスピーカ１００４が配置され、口元に近い位置にマイク９０４が配置される。耳ハンガー１００１の内部の材質は可撓の金属材質で、外側は一層の弾性体で被覆されている。耳ハンガー１００１内の金属材質を受信アンテナとして用いる。この構成により、アンテナを内蔵することが可能となる。【０００７】
一方、補聴器の使用者の中で、ＴＶなどを視聴する際にその音声を明確に聴きたいという要望がある。これは、ＴＶと補聴器とが無線通信を行い、ＴＶの音声信号を補聴器で受信することで可能となる。ＴＶを視聴する際、ＴＶは補聴器の使用者の視線方向にあることから、補聴器に搭載するアンテナは、使用者が補聴器を装着した状態で視線方向に指向性が向いていることが望まれる。【０００８】
【特許文献１】特開２０００−８３２９７号公報
【特許文献２】特表２００２−５０４７９４号公報
【特許文献３】特開２００５−３０４０３８号公報
【特許文献４】特開２００４−３６１９１０号公報（図８）
【特許文献５】実用新案登録第３０７８８５８号公報（図３）
【発明の開示】
【発明が解決しようとする課題】
【０００９】
しかしながら、前記特許文献１および２記載の従来構成では、アンテナ構成の詳細が記載されておらず、また、補聴器と視線方向にある装置との通信を想定していないため、視線方向に指向性が向いていないという課題があった。【００１０】
また、前記特許文献３および５記載の従来構成では、補聴器やイヤホンを装着した状態において、アンテナが人体頭部に近接するため、視線方向に指向性が向いていないという課題があった。【００１１】
また、前記特許文献４の従来構成では、アンテナが突起しているため、危険で使い勝手が悪く、デザイン性が悪いという課題があった。【００１２】
本発明は、上記課題を解決するために、補聴器やイヤホンのような耳かけ型の装置にアンテナ素子と無給電素子を内蔵し、無給電素子を反射器として動作させることにより、アンテナの指向性が使用者の視線方向を向いた耳かけ型無線装置を提供するものである。
【課題を解決するための手段】
【００１３】
前記課題を解決するため、本発明の耳かけ型無線装置は、無線回路を内蔵した第１の本体ケースと、前記第１の本体ケースから耳穴へ音声を伝える機能を有する音声伝送部とを備え、前記第１の本体ケースと前記音声伝送部とが接続されて一体となることで、耳に装着可能となる耳かけ型無線装置であって、前記音声伝送部内に長さが略半波長で構成されたアンテナ素子が配置され、前記第１の本体ケースに長さが略半波長以上で構成された無給電素子が配置されることを特徴とした構成をとる。【００１４】
この構成により、無給電素子が反射器として動作し、耳かけ型無線装置を耳に装着した状態において、使用者の視線方向にアンテナ指向性を向けることができ、視線方向にあるＴＶなどとの通信性能を向上することができる。【００１５】
また、本発明の耳かけ型無線装置は、無線回路を内蔵した第１の本体ケースと、前記第１の本体ケースから耳穴へ音声を伝える機能を有する音声伝送部とを備え、前記第１の本体ケースと前記音声伝送部とが接続されて一体となることで、耳に装着可能となる耳かけ型無線装置であって、前記アンテナ素子が前記第１の本体ケース内に配置され、前記無給電素子が前記音声伝送部内に配置され、前記無給電素子の長さが略半波長未満で構成されることを特徴とした構成をとる。【００１６】
この構成により、無給電素子が導波器として動作し、上述した効果と同様の効果が得られる。【００１７】
また、本発明の耳かけ型無線装置は、前記無線回路とスピーカとを内蔵した第２の本体ケースと、耳かけハンガーとを備え、前記耳かけハンガーを耳にかけることにより前記第２の本体ケースが耳殻の耳穴がある面に接し、前記スピーカからの音声を耳へ伝えられるように構成された耳かけ型無線装置であって、前記第２の本体ケース内に、長さが略半波長で構成された前記アンテナ素子が配置され、前記耳かけハンガー内に、長さが略半波長以上で前記無給電素子が配置されることを特徴とした構成をとる。【００１８】
この構成により、無給電素子が反射器として動作し、上述した効果と同様の効果が得られる。【００１９】
また、本発明の耳かけ型無線装置は、前記無線回路とスピーカとを内蔵した第２の本体ケースと、耳かけハンガーとを備え、前記耳かけハンガーを耳にかけることにより前記第２の本体ケースが耳殻の耳穴がある面に接し、前記スピーカからの音声を耳へ伝えられるように構成された耳かけ型無線装置であって、前記アンテナ素子が前記耳かけハンガー内に配置され、前記無給電素子が前記第２の本体ケース内に配置され、前記無給電素子の長さが略半波長未満に構成されることを特徴とした構成をとる。【００２０】
この構成により、無給電素子が導波器として動作し、上述した効果と同様の効果が得られる。【００２１】
また、本発明の耳かけ型無線装置は、耳穴に挿入できるように構成された音声出力装置としての機能を有するイヤホンと、前記音声伝送部に内蔵され、前記第１の本体ケースからの音声信号を前記イヤホンに伝送する機能を有するイヤホンケーブルとを備え、前記アンテナ素子を前記イヤホンケーブルと共用することを特徴とした構成をとる。【００２２】
この構成により、アンテナ素子専用の部品を別に設ける必要がなくなり、部品数を削減でき、コストを削減することができる。【００２３】
また、本発明の耳かけ型無線装置は、耳穴に挿入できるように構成された音声出力装置としての機能を有するイヤホンと、前記音声伝送部に内蔵され、前記第１の本体ケースからの音声信号を前記イヤホンに伝送する機能を有するイヤホンケーブルとを備え、前記無給電素子が前記イヤホンケーブルと共用することを特徴とした構成をとる。【００２４】
この構成により、無給電素子専用の部品を別に設ける必要がなくなり、上述した効果と同様の効果が得られる。
【発明の効果】
【００２５】
以上のように、本発明によれば、耳かけ型無線装置において、長さが略半波長で構成されたアンテナ素子を音声伝送部内に配置し、長さが略半波長以上で構成された無給電素子を本体ケースに配置することで、無給電素子が反射器として動作し、耳かけ型無線装置を耳に装着した状態において、使用者の視線方向にアンテナ指向性を向けることができ、視線方向にあるＴＶなどとの通信性能を向上することができる。
【図面の簡単な説明】
【００２６】
【図１】本発明の実施の形態１における耳かけ型無線装置のアンテナ構成図
【図２】本発明の実施の形態１における耳かけ型無線装置の使用状態図
【図３】本発明の実施の形態２における耳かけ型無線装置のアンテナ構成図
【図４】本発明の実施の形態３における耳かけ型無線装置のアンテナ構成図
【図５】本発明の実施の形態３における耳かけ型無線装置のアンテナ構成図
【図６】本発明の実施の形態４における耳かけ型無線装置のアンテナ構成図
【図７】本発明の実施の形態５における耳かけ型無線装置のイヤホンケーブルとアンテナを共用するアンテナ構成図
【図８】本発明の実施の形態６における耳かけ型無線装置のイヤホンケーブルと無給電素子（放射器）を共用するアンテナ構成図
【符号の説明】
【００２７】
１      耳
２      視線方向
１００  耳かけ型無線装置
１０１  本体ケース（Ａ）
１０２  音管
１０３  耳穴部
１０４  アンテナ素子
１０５  無線回路
１０６  音声信号処理部
１０７  無給電素子（反射器）
１０８  スピーカ
３０９  無給電素子（導波器）
４１０  本体ケース（Ｂ）
４１１  耳かけハンガー
４１２  イヤホンパッド
７１３  イヤホン
７１４  イヤホンケーブル
７１５  グラウンド外導体
７１６  音声信号線
７１７  コイル
７１８  整合回路
【発明を実施するための最良の形態】
【００２８】
以下に、本発明の実施の形態について、図面を参照しながら説明する。【００２９】
（実施の形態１）
図１は本発明の実施の形態１における耳かけ型無線装置のアンテナ構成図、図２は本発明の実施の形態１における耳かけ型無線装置の使用状態図を示している。なお、動作周波数を例えば２．４ＧＨｚに設定して説明する。【００３０】
図２に示すように、耳かけ型無線装置１００は耳１に装着され、以下で説明するように、耳かけ型無線装置１００のアンテナを構成することで、視線方向２にアンテナの指向性が向くように構成する。【００３１】
図１において、耳かけ型無線装置１００は、本体ケース（Ａ）１０１と、音管１０２の一端とが接続されて一体となることで、耳１に装着可能な形状及び寸法となっている。耳穴部１０３は、音管１０２のもう一方の端に配置され、耳かけ型無線装置１００を耳１に装着した状態において、耳穴に収納される。音管１０２は、中が空洞となっており、アンテナ素子１０４は、音管１０２の中の空洞部分に配置される。アンテナ素子１０４の長さは、半波長程度、例えば６２ｍｍ程度で構成され、その一端は、本体ケース（Ａ）１０１の内部に配置される無線回路１０５を介して音声信号処理部１０６に接続される。無給電素子（反射器）１０７は、アンテナ素子１０４との距離が波長の４分の１程度、例えば３１ｍｍ程度となるように本体ケース（Ａ）１０１に配置され、その長さは半波長以上、例えば６３ｍｍ程度で構成される。音声信号処理部１０６は、本体ケース（Ａ）１０１の内部に配置され、無線回路１０５で復調された音声信号を処理し、スピーカ１０８に出力する。スピーカ１０８は、本体ケース（Ａ）１０１において音管１０２と接続される部分に配置され、音声信号処理部１０６から出力された音声信号を音声に変換して音管１０２に出力する。音管１０２は、スピーカ１０８から出力された音声を、中の空洞を通して伝え、更に耳穴部１０３を介して耳１に伝える。【００３２】
このように構成された耳かけ型無線装置１００のアンテナの動作を説明する。上述したようにアンテナ素子１０４の長さは半波長程度であり、無給電素子（反射器）１０７の長さは半波長以上で構成され、アンテナ素子１０４と無給電素子（反射器）１０７との距離は、波長の４分の１程度であるので、無給電素子（反射器）１０７が反射器として動作し、使用者の視線方向２にアンテナ指向性を向かせることができる。【００３３】
このように本実施の形態１によれば、長さが半波長程度のアンテナ素子１０４を音管１０２の中の空洞部分に配置し、長さが半波長以上の無給電素子（反射器）１０７をアンテナ素子１０４との距離が波長の４分の１程度となるように本体ケース（Ａ）１０１の内部に配置する構成により、無給電素子（反射器）１０７が反射器として動作し、使用者の視線方向２にアンテナ指向性を向かせることができ、視線方向にあるＴＶなどとの通信性能を向上することができる。【００３４】
なお、耳かけ型無線装置１００は、使用者が耳に装着していることを他人に気づかれないように、また、耳に装着する負荷を軽減するために、小型であることが望まれる。無給電素子（反射器）１０７をミアンダ形状にすることで、長さを確保したままで、体積を削減でき、無給電素子（反射器）１０７をミアンダ形状にしなかった場合と同様のアンテナ性能が得られる。【００３５】
なお、無給電素子（反射器）１０７を本体ケース（Ａ）１０１の外側表面上に、導体片を配置することでも同様のアンテナ性能が得られる。【００３６】
なお、無給電素子（反射器）１０７は導電性塗料を所定の形状に塗布したものでも、同様のアンテナ性能が得られる。【００３７】
（実施の形態２）
図３は本発明の実施の形態２における耳かけ型無線装置のアンテナ構成図を示している。なお、図１及び図２と同じ構成要素については同じ符号を用い、説明を省略する。【００３８】
図３において、無給電素子（導波器）３０９は、音管１０２の中の空洞部分に配置される。無給電素子（導波器）３０９の長さは、半波長未満、例えば６１ｍｍ程度で構成される。アンテナ素子１０４は、無給電素子（導波器）３０９との距離が波長の４分の１程度、例えば３１ｍｍ程度となるように本体ケース（Ａ）１０１の内部に配置され、その一端は、無線回路１０５を介して音声信号処理部１０６に接続される。【００３９】
このように構成された耳かけ型無線装置１００のアンテナの動作を説明する。アンテナ素子１０４の長さは半波長程度であり、無給電素子（導波器）３０９の長さは半波長未満で構成され、アンテナ素子１０４と無給電素子（導波器）３０９との距離は、波長の４分の１程度であるので、無給電素子（導波器）３０９が導波器として動作し、使用者の視線方向２にアンテナ指向性を向かせることができる。【００４０】
このように本実施の形態２によれば、長さが半波長未満の無給電素子（導波器）３０９を音管１０２の中の空洞部分に配置し、長さが半波長程度のアンテナ素子１０４を無給電素子（導波器）３０９との距離が波長の４分の１程度となるように本体ケース（Ａ）１０１の内部に配置する構成により、無給電素子（導波器）３０９が導波器として動作し、使用者の視線方向２にアンテナ指向性を向かせることができ、視線方向にあるＴＶなどとの通信性能を向上することができる。【００４１】
なお、アンテナ素子１０４をミアンダ形状にしても良く、実施の形態１で無給電素子（反射器）１０７をミアンダ形状とした場合と同様の効果が得られる。【００４２】
（実施の形態３）
図４及び図５は本発明の実施の形態３における耳かけ型無線装置のアンテナ構成図を示している。なお、図１及び図２と同じ構成要素については同じ符号を用い、説明を省略する。【００４３】
図４において、耳かけ型無線装置１００は、本体ケース（Ｂ）４１０と耳かけハンガー４１１の一端とが接続されており、耳かけハンガー４１１を耳にかけることにより、本体ケース（Ｂ）４１０が耳殻の耳穴がある面に接することができるような形状及び寸法となっている。イヤホンバッド４１２は、耳かけ型無線装置１００を耳１に装着した状態において、本体ケース（Ｂ）４１０と耳１との間のクッションとしての機能を有する。無給電素子（反射器）１０７は、耳かけハンガー４１１の内部に配置される。アンテナ素子１０４は、無給電素子（反射器）１０７との距離が波長の４分の１程度、例えば３１ｍｍ程度となるように本体ケース（Ｂ）４１０の内部に配置される。音声信号処理部１０６は、処理した音声信号を図示していないスピーカに出力する。スピーカは、本体ケース（Ｂ）４１０においてイヤホンパッド４１２と接続される部分に配置される。スピーカから出力された音声は、イヤホンパッド４１２を介して耳１に伝えられる。【００４４】
このように構成された耳かけ型無線装置１００のアンテナの動作は、実施の形態１で述べたのと同様に、無給電素子（反射器）１０７が反射器として動作し、使用者の視線方向２にアンテナ指向性を向かせることができる。【００４５】
このように本実施の形態３によれば、長さが半波長以上の無給電素子（反射器）１０７を耳かけハンガー４１１の内部に配置し、長さが半波長程度のアンテナ素子１０４を無給電素子（反射器）１０７との距離が波長の４分の１程度となるように本体ケース（Ｂ）４１０の内部に配置することにより、無給電素子（反射器）１０７が反射器として動作し、使用者の視線方向２にアンテナ指向性を向かせることができ、視線方向にあるＴＶなどとの通信性能を向上することができる。【００４６】
なお、図５に示すように、本体ケース（Ｂ）４１０において、無給電素子（反射器）１０７とアンテナ素子１０４との距離を波長の４分の１程度に確保できる場合、無給電素子（反射器）１０７を耳かけハンガー４１１の内部ではなく、本体ケース（Ｂ）４１０に配置しても良い。この構成により、耳かけ型無線装置１００を耳１に装着した状態において、無給電素子（反射器）１０７を人体頭部から離すことができるため、人体によるアンテナ性能（効率劣化、指向性など）への影響を軽減することができる。【００４７】
なお、実施の形態１及び２で述べたのと同様に、アンテナ素子１０４及び無給電素子（反射器）１０７をミアンダ形状にしても良い。【００４８】
（実施の形態４）
図６は本発明の実施の形態４における耳かけ型無線装置のアンテナ構成図を示している。なお、図１、図２、図３及び図４と同じ構成要素については同じ符号を用い、説明を省略する。【００４９】
図６において、アンテナ素子１０４は、耳かけハンガー４１１の内部に配置される。無給電素子（導波器）３０９は、アンテナ素子１０４との距離が波長の４分の１程度、例えば３１ｍｍ程度となるように本体ケース（Ｂ）４１０の内部に配置される。【００５０】
このように構成された耳かけ型無線装置１００のアンテナの動作は、実施の形態２で述べたのと同様に、無給電素子（導波器）３０９が導波器として動作し、使用者の視線方向２にアンテナ指向性を向かせることができる。【００５１】
このように実施の形態４によれば、長さが半波長程度のアンテナ素子１０４を耳かけハンガー４１１の内部に配置し、長さが半波長未満の無給電素子（導波器）３０９をアンテナ素子１０４との距離が波長の４分の１程度になるように本体ケース（Ｂ）４１０に配置することにより、無給電素子（導波器）３０９が導波器として動作し、使用者の視線方向２にアンテナ指向性を向けることができ、視線方向にあるＴＶなどとの通信性能を向上することができる。【００５２】
なお、図には示さないが、実施の形態３で述べたのと同様に、本体ケース（Ｂ）４１０において、無給電素子（導波器）３０９とアンテナ素子１０４との距離を波長の４分の１程度に確保できる場合、アンテナ素子１０４を耳かけハンガー４１１の内部ではなく、本体ケース（Ｂ）４１０に配置しても良い。この構成により、耳かけ型無線装置１００を耳１に装着した状態において、アンテナ素子１０４を人体頭部から離すことができるため、人体によるアンテナ性能（効率、指向性）への影響を軽減することができる。
なお、実施の形態１、２及び３で述べたのと同様に、アンテナ素子１０４及び無給電素子（導波器）３０９をミアンダ形状にしても良い。【００５３】
（実施の形態５）
図７は本発明の実施の形態５における耳かけ型無線装置のイヤホンケーブルとアンテナを共用するアンテナ構成図を示している。なお、図１及び図２と同じ構成要素については同じ符号を用い、説明を省略する。【００５４】
図７において、イヤホン７１３は、音声信号を音声に変換して出力するものであり、耳かけ型無線装置１００を耳１に装着した状態において使用者の耳穴に配置される。イヤホンケーブル７１４は、音管１０２の中の空洞部分に配置される。グラウンド外導体７１５は、イヤホンケーブル７１４の内部において音声信号線７１６をシールドするように覆う、例えば網線状の導線で構成される。グラウンド外導体７１５及び音声信号線７１６は、イヤホンケーブル７１４内で、一方がイヤホン７１３に接続されている。【００５５】
音声信号線７１６は、イヤホン７１３と接続されていないもう一方の端において、音声信号処理部１０６に接続され、グラウンド外導体７１５と共に、音声信号処理部１０６から出力される音声信号をイヤホン７１３に伝える。【００５６】
グラウンド外導体７１５は、長さが半波長程度、例えば、６２ｍｍ程度で構成され、イヤホン７１３と接続されていないもう一方の端において、コイル７１７を介して本体ケース（Ａ）１０１内のグラウンド、すなわち接地電位に接続されており、これにより音声信号がグラウンド外導体７１５によって音声信号帯域である低周波帯域においてシールド遮蔽される。また、グラウンド外導体７１５は、整合回路７１８を介して音声信号処理部１０６にも接続される。整合回路７１８はグラウンド外導体７１５と無線回路１０５のインピーダンス整合をとる機能を持つ。このように構成することで、グラウンド外導体７１５はアンテナとして動作する。無給電素子（反射器）１０７は、アンテナとして動作するグラウンド外導体７１５との距離が波長の４分の１程度、例えば３１ｍｍとなるように、本体ケース（Ａ）１０１の内部に配置される。【００５７】
このように構成された耳かけ型無線装置１００のアンテナの動作を説明する。上述したように、グラウンド外導体７１５はアンテナとして動作するように構成され、長さは半波長程度であり、無給電素子（反射器）１０７との距離は波長の４分の１程度であるので、無給電素子（反射器）１０７が反射器として動作し、使用者の視線方向２にアンテナ指向性を向かせることができる。【００５８】
このように本実施の形態５によれば、イヤホンケーブル７１４において、グラウンド外導体７１５をアンテナとして動作させることで、アンテナ素子専用の部品を別に設ける必要がなくなり、部品数を削減でき、コストを削減することができる。また、長さが半波長以上で構成された無給電素子（反射器）１０７を、長さが半波長程度で構成されたグラウンド外導体７１５との距離が波長の４分の１程度となるように本体ケース（Ａ）１０１に配置することで、無給電素子（反射器）１０７が反射器として動作し、使用者の視線方向２にアンテナ指向性を向かせることができ、視線方向にあるＴＶなどとの通信性能を向上することができる。【００５９】
なお、実施の形態１で述べたのと同様に、無給電素子（反射器）１０７をミアンダ形状にしても良い。【００６０】
なお、実施の形態１で述べたのと同様に、無給電素子（反射器）１０７を本体ケース（Ａ）１０１の外側表面上に、導体片を配置することでも同様のアンテナ性能が得られる。【００６１】
なお、実施の形態１で述べたのと同様に、無給電素子（反射器）１０７は導電性塗料を所定の形状に塗布したものでも、同様のアンテナ性能が得られる。【００６２】
（実施の形態６）
図８は本実施の形態６における耳かけ型無線装置のイヤホンケーブルと無給電素子（放射器）を共用するアンテナ構成図を示している。なお、図１、図２、図３及び図７と同じ構成要素については同じ符号を用い、説明を省略する。【００６３】
図８において、グラウンド外導体７１５は、長さが半波長未満程度、例えば６１ｍｍ程度で構成され、イヤホン７１３と接続されていないもう一方の端において、コイル７１７を介して本体ケース（Ａ）１０１内のグラウンド、すなわち接地電位に接続されているが、整合回路７１８とは接続されない。アンテナ素子１０４は、グラウンド外導体７１５との距離が波長の４分の１程度、例えば３１ｍｍとなるように、本体ケース（Ａ）１０１の内部に配置される。【００６４】
このように構成された耳かけ型無線装置１００のアンテナの動作を説明する。上述したように、グラウンド外導体７１５の長さは半波長未満であり、アンテナ素子１０４との距離は波長の４分の１程度であるので、グラウンド外導体７１５が放射器として動作し、使用者の視線方向２にアンテナ指向性を向かせることができる。【００６５】
このように本実施の形態６によれば、長さが半波長程度で構成されたアンテナ素子１０４を、長さが半波長未満で構成されたグラウンド外導体７１５との距離が波長の４分の１程度となるように本体ケース（Ａ）１０１に配置することで、グラウンド外導体７１５が導波器として動作し、使用者の視線方向２にアンテナ指向性を向かせることができ、視線方向にあるＴＶなどとの通信性能を向上することができる。また、イヤホンケーブル７１４において、グラウンド外導体７１５を放射器として動作させることで、放射器として動作する無給電素子専用の部品を別に設ける必要がなくなり、部品数を削減でき、コストを削減することができる。【００６６】
なお、実施の形態２で述べたのと同様に、アンテナ素子１０４をミアンダ形状にしても良い。【００６７】
本発明を詳細にまた特定の実施態様を参照して説明したが、本発明の精神と範囲を逸脱することなく様々な変更や修正を加えることができることは当業者にとって明らかである。
本出願は、2008年2月4日出願の日本特許出願No.2008-023607に基づくものであり、その内容はここに参照として取り込まれる。
【産業上の利用可能性】
【００６８】
本発明の耳かけ型無線装置は、無線回路を内蔵した第１の本体ケースと、前記第１の本体ケースから耳穴へ音声を伝える機能を有する音声伝送部とを備え、前記第１の本体ケースと前記第１の音声伝送部とが接続されて一体となることで、耳に装着可能となる耳かけ型無線装置であって、前記音声伝送部内に長さが略半波長で構成されたアンテナ素子が配置され、前記第１の本体ケース内に長さが略半波長以上で構成された無給電素子が配置されることを特徴とした構成をとる。この構成により、無給電素子が反射器として動作し、耳かけ型無線装置を耳に装着した状態において、使用者の視線方向にアンテナ指向性を向けることができ、視線方向にあるＴＶなどとの通信性能を向上することができる。したがって、視線方向にあるＴＶなどと通信する機能を有する耳かけ型補聴器や、イヤホンなどに搭載するアンテナの構成として有用である。
【図１】
2009098858.tif 000003
【図２】
2009098858.tif 000004
【図３】
2009098858.tif 000005
【図４】
2009098858.tif 000006
【図５】
2009098858.tif 000007
【図６】
2009098858.tif 000008
【図７】
2009098858.tif 000009
【図８】
2009098858.tif 000010
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型補聴器であって、
前記音声伝送部内に、長さが略半波長で構成されたアンテナ素子が配置れ、
前記第１の本体ケースに、長さが略半波長以上で構成された無給電素子が配置され、
使用者が前記補聴器を装着した状態において、前記使用者の視線方向に沿って前記無給電素子および前記アンテナ素子が順に配置されることを特徴とした、耳かけ型補聴器。
【請求項２】
前記無給電素子が前記第１の本体ケース内に配置されることを特徴とした、請求項１記載の耳かけ型補聴器。
【請求項３】
前記無給電素子が前記第１の本体ケース表面外側に配置されることを特徴とした、請求項１記載の耳かけ型補聴器。
【請求項４】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型補聴器であって、
前記アンテナ素子が前記第１の本体ケース内に配置され、
前記無給電素子が前記音声伝送部内に配置され、
前記無給電素子の長さが略半波長未満で構成され、
使用者が前記補聴器を装着した状態において、前記使用者の視線方向に沿って前記無給電素子および前記アンテナ素子が順に配置されることを特徴とした、耳かけ型補聴器。
【請求項５】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型補聴器であって、
前記第２の本体ケース内に、長さが略半波長で構成された前記アンテナ素子が配置され、
前記耳かけハンガー内に、長さが略半波長以上で構成された前記無給電素子が配置され、
使用者が前記補聴器を装着した状態において、前記使用者の視線方向に沿って前記無給電素子および前記アンテナ素子が順に配置されることを特徴とした、耳かけ型補聴器。
【請求項６】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型補聴器であって、
前記アンテナ素子が前記耳かけハンガー内に配置され、
前記無給電素子が前記第２の本体ケース内に配置され、
前記無給電素子の長さが略半波長未満で構成され、
使用者が前記補聴器を装着した状態において、前記使用者の視線方向に沿って前記無給電素子および前記アンテナ素子が順に配置されることを特徴とした、耳かけ型補聴器。
【請求項７】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記アンテナ素子を前記イヤホンケーブルと共用することを特徴とした、請求項１ないし３のいずれか１項記載の耳かけ型補聴器。
【請求項８】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記無給電素子が前記イヤホンケーブルと共用することを特徴とした、請求項１、２、４のいずれか１項記載の耳かけ型補聴器。
【手続補正書】
【提出日】平成22年8月4日(2010.8.4)
【手続補正１】
【補正対象書類名】明細書
【補正対象項目名】全文
【補正方法】変更
【補正の内容】
【発明の詳細な説明】
【技術分野】
【０００１】
本発明は、耳にかけて使用する耳かけ型補聴器に関するものであり、特に、ＴＶなどの映像表示装置との通信を行う機能を有する耳かけ型補聴器に用いるアンテナに関するものである。
【背景技術】
【０００２】
現在、補聴器において、補聴器の音量を調節する装置との通信（例えば特許文献１）や、使用者が音源の方向を認識しやすくするために左右の補聴器が通信して音声を信号処理する（例えば特許文献２）など、無線通信機能を搭載した補聴器が数多く提案されている。
【０００３】
補聴器に搭載するアンテナに関しては、例えば特許文献３に示されているように、耳後方に装着する補聴器ハウジングにＬ字状のアンテナ又はコイル状のアンテナを導電膜で形成することで、基板上でアンテナを設ける場所を省略することができる技術が提案されている。
【０００４】
また、補聴器以外で、耳にかけて使用する無線装置のアンテナとして、例えば、特許文献４には、耳かけトランシーバに搭載したＦＭ電波用のアンテナ構成が記載されている。このトランシーバは、柔軟で若干の弾性を有する耳拘束部材を用いて耳に拘束され、アンテナは、筐体から突起して耳元から天頂方向に伸びて配置され、マイクは、口元に配置されるように筐体から突起して搭載され、筐体の内部には無線送受信の電子回路を設けたプリント基板、耳面に向かって配置されたスピーカ、電池などが配置される。
【０００５】
この構成により、トランシーバは電話機の子機として使用され、電話機（親機）から送信されるＦＭ電波をアンテナで受信して音声信号を再生し、耳元でスピーカから出力し、また、マイクで拾い上げた通話音声をＦＭ電波に変換してアンテナから電話機（親機）へ送信することが可能となる。
【０００６】
また、耳にかけて使用する無線装置の内蔵アンテナとして、例えば特許文献５には、耳かけ型コードレスイヤホンの構成が記載されている。この耳かけ型コードレスイヤホンを耳に装着するための耳かけハンガーは、軸と継手部分を介して筐体に繋ぎ合わされており、耳かけ型コードレスイヤホンを耳に装着した状態において、耳元に配置されるようにスピーカが配置され、口元に近い位置にマイクが配置される。耳ハンガーの内部の材質は可撓の金属材質で、外側は一層の弾性体で被覆されている。耳ハンガー内の金属材質を受信アンテナとして用いる。この構成により、アンテナを内蔵することが可能となる。
【０００７】
一方、補聴器の使用者の中で、ＴＶなどを視聴する際にその音声を明確に聴きたいという要望がある。これは、ＴＶと補聴器とが無線通信を行い、ＴＶの音声信号を補聴器で受信することで可能となる。ＴＶを視聴する際、ＴＶは補聴器の使用者の視線方向にあることから、補聴器に搭載するアンテナは、使用者が補聴器を装着した状態で視線方向に指向性が向いていることが望まれる。
【先行技術文献】
【特許文献】
【０００８】
【特許文献１】特開２０００−８３２９７号公報
【特許文献２】特表２００２−５０４７９４号公報
【特許文献３】特開２００５−３０４０３８号公報
【特許文献４】特開２００４−３６１９１０号公報（図８）
【特許文献５】実用新案登録第３０７８８５８号公報（図３）
【発明の概要】
【発明が解決しようとする課題】
【０００９】
しかしながら、前記特許文献１および２記載の従来構成では、アンテナ構成の詳細が記載されておらず、また、補聴器と視線方向にある装置との通信を想定していないため、視線方向に指向性が向いていないという課題があった。
【００１０】
また、前記特許文献３および５記載の従来構成では、補聴器やイヤホンを装着した状態において、アンテナが人体頭部に近接するため、視線方向に指向性が向いていないという課題があった。
【００１１】
また、前記特許文献４の従来構成では、アンテナが突起しているため、危険で使い勝手が悪く、デザイン性が悪いという課題があった。
【００１２】
本発明は、上記課題を解決するために、補聴器やイヤホンのような耳かけ型の装置にアンテナ素子と無給電素子を内蔵し、無給電素子を反射器として動作させることにより、アンテナの指向性が使用者の視線方向を向いた耳かけ型補聴器を提供するものである。
【課題を解決するための手段】
【００１３】
前記課題を解決するため、本発明の耳かけ型補聴器は、無線回路を内蔵した第１の本体ケースと、前記第１の本体ケースから耳穴へ音声を伝える機能を有する音声伝送部とを備え、前記第１の本体ケースと前記音声伝送部とが接続されて一体となることで、耳に装着可能となる耳かけ型補聴器であって、前記音声伝送部内に長さが略半波長で構成されたアンテナ素子が配置され、前記第１の本体ケースに長さが略半波長以上で構成された無給電素子が配置されることを特徴とした構成をとる。
【００１４】
この構成により、無給電素子が反射器として動作し、耳かけ型補聴器を耳に装着した状態において、使用者の視線方向にアンテナ指向性を向けることができ、視線方向にあるＴＶなどとの通信性能を向上することができる。
【００１５】
また、本発明の耳かけ型補聴器は、無線回路を内蔵した第１の本体ケースと、前記第１の本体ケースから耳穴へ音声を伝える機能を有する音声伝送部とを備え、前記第１の本体ケースと前記音声伝送部とが接続されて一体となることで、耳に装着可能となる耳かけ型補聴器であって、前記アンテナ素子が前記第１の本体ケース内に配置され、前記無給電素子が前記音声伝送部内に配置され、前記無給電素子の長さが略半波長未満で構成されることを特徴とした構成をとる。
【００１６】
この構成により、無給電素子が導波器として動作し、上述した効果と同様の効果が得られる。
【００１７】
また、本発明の耳かけ型補聴器は、前記無線回路とスピーカとを内蔵した第２の本体ケースと、耳かけハンガーとを備え、前記耳かけハンガーを耳にかけることにより前記第２の本体ケースが耳殻の耳穴がある面に接し、前記スピーカからの音声を耳へ伝えられるように構成された耳かけ型補聴器であって、前記第２の本体ケース内に、長さが略半波長で構成された前記アンテナ素子が配置され、前記耳かけハンガー内に、長さが略半波長以上で前記無給電素子が配置されることを特徴とした構成をとる。
【００１８】
この構成により、無給電素子が反射器として動作し、上述した効果と同様の効果が得られる。
【００１９】
また、本発明の耳かけ型補聴器は、前記無線回路とスピーカとを内蔵した第２の本体ケースと、耳かけハンガーとを備え、前記耳かけハンガーを耳にかけることにより前記第２の本体ケースが耳殻の耳穴がある面に接し、前記スピーカからの音声を耳へ伝えられるように構成された耳かけ型補聴器であって、前記アンテナ素子が前記耳かけハンガー内に配置され、前記無給電素子が前記第２の本体ケース内に配置され、前記無給電素子の長さが略半波長未満に構成されることを特徴とした構成をとる。
【００２０】
この構成により、無給電素子が導波器として動作し、上述した効果と同様の効果が得られる。
【００２１】
また、本発明の耳かけ型補聴器は、耳穴に挿入できるように構成された音声出力装置としての機能を有するイヤホンと、前記音声伝送部に内蔵され、前記第１の本体ケースからの音声信号を前記イヤホンに伝送する機能を有するイヤホンケーブルとを備え、前記アンテナ素子を前記イヤホンケーブルと共用することを特徴とした構成をとる。
【００２２】
この構成により、アンテナ素子専用の部品を別に設ける必要がなくなり、部品数を削減でき、コストを削減することができる。
【００２３】
また、本発明の耳かけ型補聴器は、耳穴に挿入できるように構成された音声出力装置としての機能を有するイヤホンと、前記音声伝送部に内蔵され、前記第１の本体ケースからの音声信号を前記イヤホンに伝送する機能を有するイヤホンケーブルとを備え、前記無給電素子が前記イヤホンケーブルと共用することを特徴とした構成をとる。
【００２４】
この構成により、無給電素子専用の部品を別に設ける必要がなくなり、上述した効果と同様の効果が得られる。
【発明の効果】
【００２５】
以上のように、本発明によれば、耳かけ型補聴器において、長さが略半波長で構成されたアンテナ素子を音声伝送部内に配置し、長さが略半波長以上で構成された無給電素子を本体ケースに配置することで、無給電素子が反射器として動作し、耳かけ型補聴器を耳に装着した状態において、使用者の視線方向にアンテナ指向性を向けることができ、視線方向にあるＴＶなどとの通信性能を向上することができる。
【図面の簡単な説明】
【００２６】
【図１】本発明の実施の形態１における耳かけ型無線装置のアンテナ構成図
【図２】本発明の実施の形態１における耳かけ型無線装置の使用状態図
【図３】本発明の実施の形態２における耳かけ型無線装置のアンテナ構成図
【図４】本発明の実施の形態３における耳かけ型無線装置のアンテナ構成図
【図５】本発明の実施の形態３における耳かけ型無線装置のアンテナ構成図
【図６】本発明の実施の形態４における耳かけ型無線装置のアンテナ構成図
【図７】本発明の実施の形態５における耳かけ型無線装置のイヤホンケーブルとアンテナを共用するアンテナ構成図
【図８】本発明の実施の形態６における耳かけ型無線装置のイヤホンケーブルと無給電素子（放射器）を共用するアンテナ構成図
【発明を実施するための形態】
【００２７】
以下に、本発明の実施の形態について、図面を参照しながら説明する。
【００２８】
（実施の形態１）
図１は本発明の実施の形態１における耳かけ型無線装置のアンテナ構成図、図２は本発明の実施の形態１における耳かけ型無線装置の使用状態図を示している。なお、動作周波数を例えば２．４ＧＨｚに設定して説明する。
【００２９】
図２に示すように、耳かけ型無線装置１００は耳１に装着され、以下で説明するように、耳かけ型無線装置１００のアンテナを構成することで、視線方向２にアンテナの指向性が向くように構成する。
【００３０】
図１において、耳かけ型無線装置１００は、本体ケース（Ａ）１０１と、音管１０２の一端とが接続されて一体となることで、耳１に装着可能な形状及び寸法となっている。耳穴部１０３は、音管１０２のもう一方の端に配置され、耳かけ型無線装置１００を耳１に装着した状態において、耳穴に収納される。音管１０２は、中が空洞となっており、アンテナ素子１０４は、音管１０２の中の空洞部分に配置される。アンテナ素子１０４の長さは、半波長程度、例えば６２ｍｍ程度で構成され、その一端は、本体ケース（Ａ）１０１の内部に配置される無線回路１０５を介して音声信号処理部１０６に接続される。無給電素子（反射器）１０７は、アンテナ素子１０４との距離が波長の４分の１程度、例えば３１ｍｍ程度となるように本体ケース（Ａ）１０１に配置され、その長さは半波長以上、例えば６３ｍｍ程度で構成される。音声信号処理部１０６は、本体ケース（Ａ）１０１の内部に配置され、無線回路１０５で復調された音声信号を処理し、スピーカ１０８に出力する。スピーカ１０８は、本体ケース（Ａ）１０１において音管１０２と接続される部分に配置され、音声信号処理部１０６から出力された音声信号を音声に変換して音管１０２に出力する。音管１０２は、スピーカ１０８から出力された音声を、中の空洞を通して伝え、更に耳穴部１０３を介して耳１に伝える。
【００３１】
このように構成された耳かけ型無線装置１００のアンテナの動作を説明する。上述したようにアンテナ素子１０４の長さは半波長程度であり、無給電素子（反射器）１０７の長さは半波長以上で構成され、アンテナ素子１０４と無給電素子（反射器）１０７との距離は、波長の４分の１程度であるので、無給電素子（反射器）１０７が反射器として動作し、使用者の視線方向２にアンテナ指向性を向かせることができる。
【００３２】
このように本実施の形態１によれば、長さが半波長程度のアンテナ素子１０４を音管１０２の中の空洞部分に配置し、長さが半波長以上の無給電素子（反射器）１０７をアンテナ素子１０４との距離が波長の４分の１程度となるように本体ケース（Ａ）１０１の内部に配置する構成により、無給電素子（反射器）１０７が反射器として動作し、使用者の視線方向２にアンテナ指向性を向かせることができ、視線方向にあるＴＶなどとの通信性能を向上することができる。
【００３３】
なお、耳かけ型無線装置１００は、使用者が耳に装着していることを他人に気づかれないように、また、耳に装着する負荷を軽減するために、小型であることが望まれる。無給電素子（反射器）１０７をミアンダ形状にすることで、長さを確保したままで、体積を削減でき、無給電素子（反射器）１０７をミアンダ形状にしなかった場合と同様のアンテナ性能が得られる。
【００３４】
なお、無給電素子（反射器）１０７を本体ケース（Ａ）１０１の外側表面上に、導体片を配置することでも同様のアンテナ性能が得られる。
【００３５】
なお、無給電素子（反射器）１０７は導電性塗料を所定の形状に塗布したものでも、同様のアンテナ性能が得られる。
【００３６】
（実施の形態２）
図３は本発明の実施の形態２における耳かけ型無線装置のアンテナ構成図を示している。なお、図１及び図２と同じ構成要素については同じ符号を用い、説明を省略する。
【００３７】
図３において、無給電素子（導波器）３０９は、音管１０２の中の空洞部分に配置される。無給電素子（導波器）３０９の長さは、半波長未満、例えば６１ｍｍ程度で構成される。アンテナ素子１０４は、無給電素子（導波器）３０９との距離が波長の４分の１程度、例えば３１ｍｍ程度となるように本体ケース（Ａ）１０１の内部に配置され、その一端は、無線回路１０５を介して音声信号処理部１０６に接続される。
【００３８】
このように構成された耳かけ型無線装置１００のアンテナの動作を説明する。アンテナ素子１０４の長さは半波長程度であり、無給電素子（導波器）３０９の長さは半波長未満で構成され、アンテナ素子１０４と無給電素子（導波器）３０９との距離は、波長の４分の１程度であるので、無給電素子（導波器）３０９が導波器として動作し、使用者の視線方向２にアンテナ指向性を向かせることができる。
【００３９】
このように本実施の形態２によれば、長さが半波長未満の無給電素子（導波器）３０９を音管１０２の中の空洞部分に配置し、長さが半波長程度のアンテナ素子１０４を無給電素子（導波器）３０９との距離が波長の４分の１程度となるように本体ケース（Ａ）１０１の内部に配置する構成により、無給電素子（導波器）３０９が導波器として動作し、使用者の視線方向２にアンテナ指向性を向かせることができ、視線方向にあるＴＶなどとの通信性能を向上することができる。
【００４０】
なお、アンテナ素子１０４をミアンダ形状にしても良く、実施の形態１で無給電素子（反射器）１０７をミアンダ形状とした場合と同様の効果が得られる。
【００４１】
（実施の形態３）
図４及び図５は本発明の実施の形態３における耳かけ型無線装置のアンテナ構成図を示している。なお、図１及び図２と同じ構成要素については同じ符号を用い、説明を省略する。
【００４２】
図４において、耳かけ型無線装置１００は、本体ケース（Ｂ）４１０と耳かけハンガー４１１の一端とが接続されており、耳かけハンガー４１１を耳にかけることにより、本体ケース（Ｂ）４１０が耳殻の耳穴がある面に接することができるような形状及び寸法となっている。イヤホンパッド４１２は、耳かけ型無線装置１００を耳１に装着した状態において、本体ケース（Ｂ）４１０と耳１との間のクッションとしての機能を有する。無給電素子（反射器）１０７は、耳かけハンガー４１１の内部に配置される。アンテナ素子１０４は、無給電素子（反射器）１０７との距離が波長の４分の１程度、例えば３１ｍｍ程度となるように本体ケース（Ｂ）４１０の内部に配置される。音声信号処理部１０６は、処理した音声信号を図示していないスピーカに出力する。スピーカは、本体ケース（Ｂ）４１０においてイヤホンパッド４１２と接続される部分に配置される。スピーカから出力された音声は、イヤホンパッド４１２を介して耳１に伝えられる。
【００４３】
このように構成された耳かけ型無線装置１００のアンテナの動作は、実施の形態１で述べたのと同様に、無給電素子（反射器）１０７が反射器として動作し、使用者の視線方向２にアンテナ指向性を向かせることができる。
【００４４】
このように本実施の形態３によれば、長さが半波長以上の無給電素子（反射器）１０７を耳かけハンガー４１１の内部に配置し、長さが半波長程度のアンテナ素子１０４を無給電素子（反射器）１０７との距離が波長の４分の１程度となるように本体ケース（Ｂ）４１０の内部に配置することにより、無給電素子（反射器）１０７が反射器として動作し、使用者の視線方向２にアンテナ指向性を向かせることができ、視線方向にあるＴＶなどとの通信性能を向上することができる。
【００４５】
なお、図５に示すように、本体ケース（Ｂ）４１０において、無給電素子（反射器）１０７とアンテナ素子１０４との距離を波長の４分の１程度に確保できる場合、無給電素子（反射器）１０７を耳かけハンガー４１１の内部ではなく、本体ケース（Ｂ）４１０に配置しても良い。この構成により、耳かけ型無線装置１００を耳１に装着した状態において、無給電素子（反射器）１０７を人体頭部から離すことができるため、人体によるアンテナ性能（効率劣化、指向性など）への影響を軽減することができる。
【００４６】
なお、実施の形態１及び２で述べたのと同様に、アンテナ素子１０４及び無給電素子（反射器）１０７をミアンダ形状にしても良い。
【００４７】
（実施の形態４）
図６は本発明の実施の形態４における耳かけ型無線装置のアンテナ構成図を示している。なお、図１、図２、図３及び図４と同じ構成要素については同じ符号を用い、説明を省略する。
【００４８】
図６において、アンテナ素子１０４は、耳かけハンガー４１１の内部に配置される。無給電素子（導波器）３０９は、アンテナ素子１０４との距離が波長の４分の１程度、例えば３１ｍｍ程度となるように本体ケース（Ｂ）４１０の内部に配置される。
【００４９】
このように構成された耳かけ型無線装置１００のアンテナの動作は、実施の形態２で述べたのと同様に、無給電素子（導波器）３０９が導波器として動作し、使用者の視線方向２にアンテナ指向性を向かせることができる。
【００５０】
このように実施の形態４によれば、長さが半波長程度のアンテナ素子１０４を耳かけハンガー４１１の内部に配置し、長さが半波長未満の無給電素子（導波器）３０９をアンテナ素子１０４との距離が波長の４分の１程度になるように本体ケース（Ｂ）４１０に配置することにより、無給電素子（導波器）３０９が導波器として動作し、使用者の視線方向２にアンテナ指向性を向けることができ、視線方向にあるＴＶなどとの通信性能を向上することができる。
【００５１】
なお、図には示さないが、実施の形態３で述べたのと同様に、本体ケース（Ｂ）４１０において、無給電素子（導波器）３０９とアンテナ素子１０４との距離を波長の４分の１程度に確保できる場合、アンテナ素子１０４を耳かけハンガー４１１の内部ではなく、本体ケース（Ｂ）４１０に配置しても良い。この構成により、耳かけ型無線装置１００を耳１に装着した状態において、アンテナ素子１０４を人体頭部から離すことができるため、人体によるアンテナ性能（効率、指向性）への影響を軽減することができる。
なお、実施の形態１、２及び３で述べたのと同様に、アンテナ素子１０４及び無給電素子（導波器）３０９をミアンダ形状にしても良い。
【００５２】
（実施の形態５）
図７は本発明の実施の形態５における耳かけ型無線装置のイヤホンケーブルとアンテナを共用するアンテナ構成図を示している。なお、図１及び図２と同じ構成要素については同じ符号を用い、説明を省略する。
【００５３】
図７において、イヤホン７１３は、音声信号を音声に変換して出力するものであり、耳かけ型無線装置１００を耳１に装着した状態において使用者の耳穴に配置される。イヤホンケーブル７１４は、音管１０２の中の空洞部分に配置される。グラウンド外導体７１５は、イヤホンケーブル７１４の内部において音声信号線７１６をシールドするように覆う、例えば網線状の導線で構成される。グラウンド外導体７１５及び音声信号線７１６は、イヤホンケーブル７１４内で、一方がイヤホン７１３に接続されている。
【００５４】
音声信号線７１６は、イヤホン７１３と接続されていないもう一方の端において、音声信号処理部１０６に接続され、グラウンド外導体７１５と共に、音声信号処理部１０６から出力される音声信号をイヤホン７１３に伝える。
【００５５】
グラウンド外導体７１５は、長さが半波長程度、例えば、６２ｍｍ程度で構成され、イヤホン７１３と接続されていないもう一方の端において、コイル７１７を介して本体ケース（Ａ）１０１内のグラウンド、すなわち接地電位に接続されており、これにより音声信号がグラウンド外導体７１５によって音声信号帯域である低周波帯域においてシールド遮蔽される。また、グラウンド外導体７１５は、整合回路７１８を介して音声信号処理部１０６にも接続される。整合回路７１８はグラウンド外導体７１５と無線回路１０５のインピーダンス整合をとる機能を持つ。このように構成することで、グラウンド外導体７１５はアンテナとして動作する。無給電素子（反射器）１０７は、アンテナとして動作するグラウンド外導体７１５との距離が波長の４分の１程度、例えば３１ｍｍとなるように、本体ケース（Ａ）１０１の内部に配置される。
【００５６】
このように構成された耳かけ型無線装置１００のアンテナの動作を説明する。上述したように、グラウンド外導体７１５はアンテナとして動作するように構成され、長さは半波長程度であり、無給電素子（反射器）１０７との距離は波長の４分の１程度であるので、無給電素子（反射器）１０７が反射器として動作し、使用者の視線方向２にアンテナ指向性を向かせることができる。
【００５７】
このように本実施の形態５によれば、イヤホンケーブル７１４において、グラウンド外導体７１５をアンテナとして動作させることで、アンテナ素子専用の部品を別に設ける必要がなくなり、部品数を削減でき、コストを削減することができる。また、長さが半波長以上で構成された無給電素子（反射器）１０７を、長さが半波長程度で構成されたグラウンド外導体７１５との距離が波長の４分の１程度となるように本体ケース（Ａ）１０１に配置することで、無給電素子（反射器）１０７が反射器として動作し、使用者の視線方向２にアンテナ指向性を向かせることができ、視線方向にあるＴＶなどとの通信性能を向上することができる。
【００５８】
なお、実施の形態１で述べたのと同様に、無給電素子（反射器）１０７をミアンダ形状にしても良い。
【００５９】
なお、実施の形態１で述べたのと同様に、無給電素子（反射器）１０７を本体ケース（Ａ）１０１の外側表面上に、導体片を配置することでも同様のアンテナ性能が得られる。
【００６０】
なお、実施の形態１で述べたのと同様に、無給電素子（反射器）１０７は導電性塗料を所定の形状に塗布したものでも、同様のアンテナ性能が得られる。
【００６１】
（実施の形態６）
図８は本実施の形態６における耳かけ型無線装置のイヤホンケーブルと無給電素子（放射器）を共用するアンテナ構成図を示している。なお、図１、図２、図３及び図７と同じ構成要素については同じ符号を用い、説明を省略する。
【００６２】
図８において、グラウンド外導体７１５は、長さが半波長未満程度、例えば６１ｍｍ程度で構成され、イヤホン７１３と接続されていないもう一方の端において、コイル７１７を介して本体ケース（Ａ）１０１内のグラウンド、すなわち接地電位に接続されているが、整合回路７１８とは接続されない。アンテナ素子１０４は、グラウンド外導体７１５との距離が波長の４分の１程度、例えば３１ｍｍとなるように、本体ケース（Ａ）１０１の内部に配置される。
【００６３】
このように構成された耳かけ型無線装置１００のアンテナの動作を説明する。上述したように、グラウンド外導体７１５の長さは半波長未満であり、アンテナ素子１０４との距離は波長の４分の１程度であるので、グラウンド外導体７１５が放射器として動作し、使用者の視線方向２にアンテナ指向性を向かせることができる。
【００６４】
このように本実施の形態６によれば、長さが半波長程度で構成されたアンテナ素子１０４を、長さが半波長未満で構成されたグラウンド外導体７１５との距離が波長の４分の１程度となるように本体ケース（Ａ）１０１に配置することで、グラウンド外導体７１５が導波器として動作し、使用者の視線方向２にアンテナ指向性を向かせることができ、視線方向にあるＴＶなどとの通信性能を向上することができる。また、イヤホンケーブル７１４において、グラウンド外導体７１５を放射器として動作させることで、放射器として動作する無給電素子専用の部品を別に設ける必要がなくなり、部品数を削減でき、コストを削減することができる。
【００６５】
なお、実施の形態２で述べたのと同様に、アンテナ素子１０４をミアンダ形状にしても良い。
【００６６】
本発明を詳細にまた特定の実施態様を参照して説明したが、本発明の精神と範囲を逸脱することなく様々な変更や修正を加えることができることは当業者にとって明らかである。
本出願は、2008年2月4日出願の日本特許出願No.2008-023607に基づくものであり、その内容はここに参照として取り込まれる。
【産業上の利用可能性】
【００６７】
本発明の耳かけ型無線装置は、無線回路を内蔵した第１の本体ケースと、前記第１の本体ケースから耳穴へ音声を伝える機能を有する音声伝送部とを備え、前記第１の本体ケースと前記第１の音声伝送部とが接続されて一体となることで、耳に装着可能となる耳かけ型無線装置であって、前記音声伝送部内に長さが略半波長で構成されたアンテナ素子が配置され、前記第１の本体ケース内に長さが略半波長以上で構成された無給電素子が配置されることを特徴とした構成をとる。この構成により、無給電素子が反射器として動作し、耳かけ型無線装置を耳に装着した状態において、使用者の視線方向にアンテナ指向性を向けることができ、視線方向にあるＴＶなどとの通信性能を向上することができる。したがって、視線方向にあるＴＶなどと通信する機能を有する耳かけ型補聴器や、イヤホンなどに搭載するアンテナの構成として有用である。
【符号の説明】
【００６８】
１      耳
２      視線方向
１００  耳かけ型無線装置
１０１  本体ケース（Ａ）
１０２  音管
１０３  耳穴部
１０４  アンテナ素子
１０５  無線回路
１０６  音声信号処理部
１０７  無給電素子（反射器）
１０８  スピーカ
３０９  無給電素子（導波器）
４１０  本体ケース（Ｂ）
４１１  耳かけハンガー
４１２  イヤホンパッド
７１３  イヤホン
７１４  イヤホンケーブル
７１５  グラウンド外導体
７１６  音声信号線
７１７  コイル
７１８  整合回路
【手続補正２】
【補正対象書類名】特許請求の範囲
【補正対象項目名】全文
【補正方法】変更
【補正の内容】
【特許請求の範囲】
【請求項１】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型補聴器であって、
前記音声伝送部内に、長さが略半波長で構成されたアンテナ素子が配置され、
前記第１の本体ケースに、長さが略半波長以上で構成された無給電素子が配置され、
使用者が前記補聴器を装着した状態において、前記使用者の視線方向に沿って前記無給電素子および前記アンテナ素子が順に配置されることを特徴とした、耳かけ型補聴器。
【請求項２】
前記無給電素子が前記第１の本体ケース内に配置されることを特徴とした、請求項１記載の耳かけ型補聴器。
【請求項３】
前記無給電素子が前記第１の本体ケース表面外側に配置されることを特徴とした、請求項１記載の耳かけ型補聴器。
【請求項４】
無線回路を内蔵した第１の本体ケースと、
前記第１の本体ケースから耳穴へ音声を伝える機能を有する音声伝送部とを備え、
前記第１の本体ケースと前記音声伝送部とが接続されて一体となることで、耳に装着可能となる耳かけ型補聴器であって、
前記アンテナ素子が前記第１の本体ケース内に配置され、
前記無給電素子が前記音声伝送部内に配置され、
前記無給電素子の長さが略半波長未満で構成され、
使用者が前記補聴器を装着した状態において、前記使用者の視線方向に沿って前記無給電素子および前記アンテナ素子が順に配置されることを特徴とした、耳かけ型補聴器。
【請求項５】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型補聴器であって、
前記第２の本体ケース内に、長さが略半波長で構成された前記アンテナ素子が配置され、
前記耳かけハンガー内に、長さが略半波長以上で構成された前記無給電素子が配置され、
使用者が前記補聴器を装着した状態において、前記使用者の視線方向に沿って前記無給電素子および前記アンテナ素子が順に配置されることを特徴とした、耳かけ型補聴器。
【請求項６】
無線回路とスピーカとを内蔵した第２の本体ケースと、
耳かけハンガーと、を備え、
前記耳かけハンガーを耳にかけることにより、前記第２の本体ケースが耳殻の耳穴がある面に接し、前記スピーカからの音声を耳へ伝えられるように構成された耳かけ型補聴器であって、
前記アンテナ素子が前記耳かけハンガー内に配置され、
前記無給電素子が前記第２の本体ケース内に配置され、
前記無給電素子の長さが略半波長未満で構成され、
使用者が前記補聴器を装着した状態において、前記使用者の視線方向に沿って前記無給電素子および前記アンテナ素子が順に配置されることを特徴とした、耳かけ型補聴器。
【請求項７】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記アンテナ素子を前記イヤホンケーブルと共用することを特徴とした、請求項１ないし３のいずれか１項記載の耳かけ型補聴器。
【請求項８】
耳穴に挿入できるように構成された音声出力装置としての機能を有するイヤホンと、
前記音声伝送部に内蔵され、前記第１の本体ケースからの音声信号を前記イヤホンに伝送する機能を有するイヤホンケーブルと、を備え、
前記無給電素子が前記イヤホンケーブルと共用することを特徴とした、請求項１、２、４のいずれか１項記載の耳かけ型補聴器。
【手続補正３】
【補正対象書類名】図面
【補正対象項目名】全図
【補正方法】変更
【補正の内容】
【図１】
2009098858.tif 000011
【図２】
2009098858.tif 000012
【図３】
2009098858.tif 000013
【図４】
2009098858.tif 000014
【図５】
2009098858.tif 000015
【図６】
2009098858.tif 000016
【図７】
2009098858.tif 000017
【図８】
2009098858.tif 000018
【国際調査報告】
2009098858.tif 000019
2009098858.tif 000020
2009098858.tif 000021
2009098858.tif 000022